(57)【要約】      （修正有）【課題】  障子閉塞時に閉塞材を自動的に降下させ、サッシ枠といわば見付け方向に障子を重ね合わせて水気密状態を得、出入口部に段差のない開き戸を設置し、バリアフリー上好適な開き障子付サッシを提供する。【解決手段】  サッシ枠Ａに障子Ｄａ，Ｄｂを縦軸回動自在に組付けた開き障子付サッシにおいて、障子下框１と障子閉塞時に該下框１下方を閉塞する閉塞材２とで構成する。下框１に障子吊元側から戸先側方向に漸次下向傾斜する案内手段を設け、該案内手段に摺嵌して前記下框に組付けた前記閉塞材２と前記下框１間に、前記閉塞材２を上方へ移動する方向に付勢するコイルばね１７を張設する。また、前記閉塞材２の吊元側の圧接縁２２を障子閉塞時に該コイルばね１７の付勢に抗して降下させる受圧縁２３´を、前記サッシ枠Ａの下部に設ける。【選択図】図４
2005048527.tif 000002
【特許請求の範囲】
【請求項１】
サッシ枠に障子を縦軸回動自在に組付けた開き障子付サッシにおいて、障子下框と障子閉塞時に該下框下方を閉塞する閉塞材とで成り、前記下框に障子吊元側から戸先側方向に漸次下向傾斜する案内手段を設け、該案内手段に摺嵌して前記下框に組付けた前記閉塞材と前記下框間に、前記閉塞材を上方へ移動する方向に付勢するコイルばねを張設すると共に、前記閉塞材の吊元側の端縁を障子閉塞時に該コイルばねの付勢に抗して降下させる受圧縁を、前記サッシ枠の下部に設けた、開き障子付サッシにおける障子閉塞時の下部自動閉塞装置。
【発明の詳細な説明】
【技術分野】
【０００１】
本発明は、開きサッシや折りたたみサッシのように障子を回動させて開閉を行うようにした開き障子付サッシにおける障子閉塞時の下部自動閉塞装置に関するものである。
【背景技術】
【０００２】
障子の下框に対してサッシ枠の下枠の部片を室内外方向に重なり合うように配置した構造で成り、障子閉塞時に前記下框が前記下枠部片に見込み方向に重なり合い、障子下部（下框と下枠との間）に隙間が生じないようにしている、すなわち、障子閉塞時の下部は障子を閉塞することにより自動的に閉塞するようにしてある（例えば、特許文献１）。
【０００３】
【特許文献１】特開平７−２２９３７０号公報
【発明の開示】
【発明が解決しようとする課題】
【０００４】
前記従来例は、障子閉塞時に、下框と下枠の部片が屋内外方向（見込み方向）に重なり合う構成を採るので、下枠の部片を床面より少くとも下方に納める（位置させる）ことになり（納めないと、該部片が床面上より突出して歩行その他の妨げとなる）、床面と下枠との間に段差が生じ、例えば、当該開き障子付サッシを部屋間（例えば、生活空間と風呂場との間）に配したとき、当該部屋間に段差が生じ、所謂バリアフリーなどに不都合である。
【課題を解決するための手段】
【０００５】
サッシ枠に障子を縦軸回動自在に組付けた開き障子付サッシにおいて、障子下框と障子閉塞時に該下框下方を閉塞する閉塞材とで成り、前記下框に障子吊元側から戸先側方向に漸次下向傾斜する案内手段を設け、該案内手段に摺嵌して前記下框に組付けた前記閉塞材と前記下框間に、前記閉塞材を上方へ移動する方向に付勢するコイルばねを張設すると共に、前記閉塞材の吊元側の端縁を障子閉塞時に該コイルばねの付勢に抗して降下させる受圧縁を、前記サッシ枠の下部に設けた、構成としたものである。
【発明の効果】
【０００６】
本発明によれば、障子閉塞時に閉塞材を自動的に降下させることができるから、サッシ枠といわば見付け方向（サッシ枠内方向）に障子を重ね合わせて水気密状態を得られ、この結果、出入り口部に段差のない開き戸（殊に、風呂場と生活空間との間の）を設置することができ、バリアフリー上好適である。
【０００７】
そして、本発明にあっては、案内手段に摺嵌して閉塞材を下框に組付けたものであるから、閉塞材の縦動を所定通りに行え、下框下方の開閉を円滑に行うことができる。
【実施例】
【０００８】
図面は本発明に係る開き障子付サッシにおける障子閉塞時の下部自動閉塞装置の一実施例を示し、図１は部材の配置関係を示す開き障子付サッシの正面図、図２は一部横断面図、図３は一部欠截正面図、図４は図３の縦断面図、図５は障子開放状態時における一部縦断面図、図６は係合材の正面図、図７は係合材の側面図、図８は図６のａ−ａ線断面図、図９は案内材の正面図、図１０は案内材の平面図、図１１は図９のｂ−ｂ線断面図である。
【０００９】
実施例は、居室（脱衣側）と浴室（風呂場側）との境界部を開閉する中折れサッシを配し、該中折れサッシを構成する一対の障子Ｄａ，Ｄｂに本発明を適用したものであるが、該中折れサッシに限る必要はなく、例えば片開きサッシにも本発明を適用することができる。
【００１０】
実施例の各障子Ｄａ，Ｄｂの下框１の前記の居室側の表面には開閉材２を重ね合わせて組付け、障子閉塞時に、この閉塞材２が下框１の下方に自動的に降下して下框１とサッシＡの下枠３ｂとの間の間隙部を閉塞し、障子開放時には閉塞材２が自動的に上昇して前記下枠３ｂと同面上に存する床面ａとの接触を避け、障子Ｄａ，Ｄｂの開放操作を円滑に行えるようにしたものである。
【００１１】
そして、閉塞材２は、対応する障子Ｄａ，Ｄｂの下框１に一対の案内材４，４と係合材５，５を用いて組付けてあり、案内材４は、主体板６の片面に断面Ｌ形の条部片７ａ，７ａを相対して突設して、障子吊元側から戸先側方向に漸次下向傾斜するように案内溝７，７を縦設し、該案内溝７，７（条部片７ａ，７ａ）間の上部側には下方開口のコの字形のストッパー部片８，８と、このストッパー部片８，８間の中央部の前記主体板６の下端位置に配した突部片９を、前記案内溝７の傾斜に沿わせて配して構成したものである。
【００１２】
案内材４は、前記下框１に取付手段１０，１０によって取付けた支持板１１にねじ１２で止着してあり、この案内材４に前記閉塞材２側に設けた前記係合材５を摺嵌して閉塞材２を前記下框１に前記の通り組付けてある。
【００１３】
係合材５は主体板１３の両端に薄肉にして前記案内材４の案内溝７の傾斜角度と同角度に傾斜させて設けた係合部片１４を案内溝７に摺嵌させて案内材４に組付けたもので、主体板１３の案内材４の主体板６との対向面側に、前記案内溝７の傾斜角度と同角度に傾斜させて、中央の深い傾斜溝１５と該深い傾斜溝１５の両側に浅い傾斜溝１６を設け、深い傾斜溝１５の上端の突き当り壁１５´と該傾斜溝１５に摺嵌させた案内材４側の前記突部片９間にはコイルばね１７を配して深い傾斜溝１５内に収設し、また、浅い傾斜溝１６に、該浅い傾斜溝１６に摺嵌させた案内材４側の前記ストッパー部片８，８に係止する係止突子１８を設けてあり、前記閉塞材２の上端と中間部に下框１方向に突設した上下の挟持部片２ａ，２ｂ間に介在させ、主体板１３の上端に突設した上組付部片１９ａを上挟持部片２ａに設けた係合孔２０ａに、下端に突設した下組付部片１９ｂを下挟持部片２ｂに設けた係合孔２０ｂにそれぞれ係止して前記閉塞材２に固定したものである。
【００１４】
閉塞材２は前記挟持部片２ａ，２ｂを備えた金属製の主体枠２Ａの吊元側の一端に合成樹脂製の端部片２Ｂを組付け、上縁を除く三方の各縁にシール材２１を取付けて構成し、前記端部片２Ｂの障子吊元側の上隅部を傾斜状と成して圧接縁２２と成し、該圧接縁２２が障子閉塞時に圧接する受圧縁２３´を備えたブロック体２３を窓枠Ａの縦枠３ｃの下部に形成してある。
【００１５】
ブロック体２３の受圧縁２３´は、障子閉塞操作の回動に伴う前記圧接縁２２の回動軌跡路上に位置して傾斜状を呈し、障子閉塞方向に圧接縁２２が回動移動したとき、前記コイルばね１７の付勢に伴う該圧接縁２２の圧接を受けてその傾斜状によって該圧接縁２２を降下、すなわち、閉塞材２（圧接縁２２を設けた端部片２Ｂと主体枠２Ａとで構成した）を降下させるもので、閉塞板２はこの降下によって前記下框１下方（下框１と下枠３ｂ間の間隙ａ）を閉塞する。
【００１６】
しかして、中折りサッシ（折り戸）を構成する障子Ｄａ，Ｄｂの開放時には、障子Ｄａ，Ｄｂの戸先側（召合せ側）は浴室側に位置し、かつ、コイルばね１７が作用して閉塞材２は引き上げられ、該閉塞材２の下端は床面に接することなく、その開閉（回動）は円滑に行なわれる。
【００１７】
この開放状態から、障子Ｄａ，Ｄｂを吊元側（縦軸２４）を中心に回動させて閉塞操作をすると、障子Ｄａ，Ｄｂはサッシ枠Ａに収まる方向に回動し、この回動に伴って、閉塞材２の障子吊元（縦軸２４）側の端縁である傾斜状の圧接縁２２が、サッシ枠Ａ側に設けたブロック体２３の受圧縁２３´に圧接しつつサッシ枠Ａ内に収まることになり、閉塞材２の圧接縁２２のサッシ枠Ａ側の前記受圧縁２３´に対する強制的な接触により受圧縁２３´が閉塞材２をコイルばね１７の付勢に抗して相対的に押下することになり、障子下框１側の案内材４と閉塞材２側の係合材５は、案内溝７と係合部片１４との係合関係により互いに摺嵌させてあるので案内材４を固定側として係合材５は押下し、従って、閉塞材２は降下し、閉塞材６は下框１と下枠３ｂ間の間隙を閉塞し、シール材２１のサッシ枠Ａ（下枠３ｂ）との接触により浴室の水気密状態を得られるのである。
【００１８】
また、障子開放状態にすると、閉塞材２のブロック体２３に対する接触による、コイルばね１７の付勢に抗した強制的な降下状態は開放されるため、コイルばね１７が機能して閉塞材２を上昇させ、各部は原状態に復帰する。
【図面の簡単な説明】
【００１９】
【図１】部材の配置関係を示す開き障子付サッシの正面図。
【図２】一部横断面図。
【図３】一部欠截正面図。
【図４】図３の縦断面図。
【図５】障子開放状態時における一部縦断面図。
【図６】係合材の正面図。
【図７】係合材の側面図。
【図８】図６のａ−ａ線断面図。
【図９】案内材の正面図。
【図１０】案内材の平面図。
【図１１】図９のｂ−ｂ線断面図。
【符号の説明】
【００２０】
Ａ          サッシ枠
Ｄａ，Ｄｂ  障子
１          下框
２          閉塞材
１７        コイルばね
２２        圧接縁
２３´      受圧縁
【図１】
2005048527.tif 000003
【図２】
2005048527.tif 000004
【図３】
2005048527.tif 000005
【図４】
2005048527.tif 000006
【図５】
2005048527.tif 000007
【図６】
2005048527.tif 000008
【図７】
2005048527.tif 000009
【図８】
2005048527.tif 000010
【図９】
2005048527.tif 000011
【図１０】
2005048527.tif 000012
【図１１】
2005048527.tif 000013